(57)【要約】      （修正有）【課題】薬筒から殺虫剤、防腐剤の漏洩が少なく標本箱内の殺虫、防腐効果を持続させると共に薬剤の補給が容易に行える標本箱用薬剤収納薬筒装置を提供する。【解決手段】基体部２ａと筒体部２ｂと蓋体部２ｃから薬筒２は設けられ、前記基体部２ａが標本箱の配備孔５に固着され、前記基体部２ａは後端面を開口する収容孔が形成されて前記蓋体部２ｃが前後に摺動自在にかつ出入自在に収容されると共に前記収容孔内に突設されるピンが前記蓋体部２ｃの周面に形成される螺旋溝に係合され、蓋体部２ｃの回転方向により軸方向の前後移動が自在に構成されると共に前記螺旋溝は蓋体部２ｃの前端面に開口されて蓋体部２ｃの螺旋溝が基体部２ａのピンから係脱自在に設けられ、蓋体部２ｃは後部周面の環状溝にＯリングが装嵌されて基体部２ａの収容孔が気密に封止され、筒体部２ｂの内部に薬剤が補給可能に構成されてなる。【選択図】図３
0003178586.tif 000002
【実用新案登録請求の範囲】
【請求項１】
薬筒は基体部と筒体部と蓋体部から設けられると共に、前記基体部が、標本箱に設けられる配備孔に装着され、その基体部の前方に突出接続して薬剤の収納部であると共に薬剤の放散孔を備える筒体部が標本箱内に配備されてなる標本箱用薬剤収納薬筒装置において、前記基体部は、後端面を開口する収容孔が形成されて前記蓋体部が前後に摺動自在にかつ出入自在に収容されると共に前記収容孔内に突出するピンが配備され、該ピンが前記蓋体部の周面に形成される螺旋溝に係合され、蓋体部の回転方向により軸方向の前後移動が自在に構成され、前記螺旋溝は蓋体部の前端面に形成されるピン出入口に連通されて蓋体部の螺旋溝が基体部のピンから係脱自在に設けられ、蓋体部は環状溝が後部周面に形成され、該環状溝にＯリングが装嵌され、基体部の収容孔が気密に封止され、蓋体部が基体部から取り外された時に基体部の前端に接続連通する筒体部の内部に薬剤が補給可能に構成されてなる標本箱用薬剤収納薬筒装置。
【請求項２】
前記基体部は円筒形に形成され、その前端外周は面取りされて円錐形に形成されてなる請求項１の標本箱用薬剤収納薬筒装置。
【請求項３】
前記基体部は前端部の内径に螺子孔が形成され、該螺子孔に前記筒体部の後端部の外周に形成される螺子部が螺合して基体部の前方に突出接続して筒体部が一体に結合されてなる請求項１または請求項２の標本箱用薬剤収納薬筒装置。
【請求項４】
前記基体部は、その外周の前半側に孔芯と平行のローレット溝が形成されてなる請求項１〜３のいずれか一の請求項の標本箱用薬剤収納薬筒装置。
【請求項５】
前記基体部は、その前半寄りに収容孔の内面に突設するピンが軸回りに１８０度齟齬して対称位置に配置されてなる請求項１〜４のいずれか一の請求項の標本箱用薬剤収納薬筒装置。
【請求項６】
前記筒体部は、円筒部と底部に放散孔がそれぞれ貫通して開設されてなる請求項１〜５のいずれか一の請求項の標本箱用薬剤収納薬筒装置。
【請求項７】
前記蓋体部は、円柱形に形成され、その前半部は、周面に開口すると共に前端面に開口する螺旋溝が軸芯を中心としてそれぞれ対象位置に対応して形成され、その螺旋溝が前記基体部の収容孔内に突出するピンに係合され、蓋体部の回転でピンに対して軸方向に移動可能に設けられると共に螺旋溝のそれぞれが前端面のピン出入口からピンがそれぞれ外れて蓋体部を基体部の後端面開口より出入自在に設けられてなる請求項１〜６のいずれか一の請求項の標本箱用薬剤収納薬筒装置。
【請求項８】
前記螺旋溝のガイド面は、蓋体部の回転角が９０度で、最初の４５度が軸方行傾斜面に形成され、次の４５度が軸方向水平面に形成されてなる請求項１〜７のいずれか一の請求項の標本箱用薬剤収納薬筒装置。
【請求項９】
蓋体部の螺旋溝のガイド面は、その軸方向傾斜面の一方が始端ピン衝突壁を介してピン出入口と連通し、他方が直接にピン出入口に連通してそれぞれ形成され、その軸方向水平面は終端ピン衝突壁により閉溝形成されてなる請求項１〜８のいずれか一の請求項の標本箱用薬剤収納薬筒装置。
【請求項１０】
前記蓋体部は、後端面にねじ回し具を嵌入する凹陥部が形成されてなる請求項１〜９のいずれか一の請求項の標本箱用薬剤収納薬筒装置。
【考案の詳細な説明】
【技術分野】
【０００１】
本考案は、殺虫剤、防腐剤等の薬剤を収納する薬筒を昆虫等の標本物を収納展示する標本箱に配備し、殺虫、防腐の効果を持続させる標本箱用薬剤収納薬筒装置に関するものである。
【背景技術】
【０００２】
特許文献１には、箱本体と蓋及び薬筒からなり、前記箱本体は一対の長辺の木枠の両端部に外側から内部に螺子孔が開口され、前記薬筒は底のある円筒部と蓋部とからなり、前記円筒部の円筒面と底面に円形孔が複数個所に開口され、前記蓋部は円筒形でその外周に前記箱本体の螺子孔に適合する螺子溝が切られ、頂部端面にねじ回しの入る切り込みを有し、前記箱本体に対して着脱自在であると共に、前記円筒部の上部に嵌合して薬筒内に殺虫剤を充填しうるように構成してなるドイツ箱（標本箱）が提案されている。
【０００３】
特許文献２には、上端が開口状とされる扁平な角錐、あるいは円錐形状に形成された基体内側に、その中央に沿って一定間隔を設けて一対の補助板を横袈せしめ、該補助板下部に防虫剤等の薬品を収納せしめると共に、上記基体内底部中央に針立を設置し、蝶等の標本を針等により固定した後、ガラス等の透明な板によって基体開口部を閉じる如き構成とし、また、基体の背面側に、紐とめ及び保持板を設け、基体の錐頂点、保持板の端部および紐とめによって安定した状態で壁掛けができる構成としたことを特徴とする錐型標本箱が提案されている。
【０００４】
特許文献３には、標本台３の上面の中心部にホールを形成し、該ホールに脱酸素剤、乾燥剤を入れ、その上方に固定した標本を載せる中敷２を、該中敷２および標本台３に設けた空気抜き用の穴５を一致して貫通させて標本台３に接着し、中敷２の外側に周回する環状溝４を標本台３に設け、該環状溝４に椀型ケースの下端部を嵌入密着し、標本台３の前記空気抜き用の穴５にベアリングを落し入れ、前記椀型ケース内の空気を、吸引用具を空気抜き用の穴５に圧着して空気を抜き、ベアリングの落とし穴を接着剤でふさいでなる標本ケースが提案されている。
【０００５】
特許文献４には、保護板１と密閉シート２，３で密閉構造Ａを形成して、この密閉構造Ａに昆虫標本や、植物標本等を入れて密閉して、この密閉構造部Ａに脱酸素剤７を入れて酸素を除去し、害虫による食害や酸素による褪色から標本を保護する密閉式標本箱が提案されている。
【０００６】
【特許文献１】実公平４−４０２０９号公報
【特許文献２】実公平６−３８０８１号公報
【特許文献３】実用新案登録第３０８１６１１号公報
【特許文献４】特開２００５−３５０４４０号公報
【考案の開示】
【考案が解決しようとする課題】
【０００７】
前記特許文献１で提案されるものは、薬剤の補給時に蓋の頭に設けた切り込みに螺子回しを嵌めて薬筒全体を何回も回わして箱本体から取り外すものであった。また、薬筒を取り外した後、薬筒の円筒部から蓋を取り外し、円筒部の口から内方へ薬剤を補給し、再び蓋を薬筒の円筒部に嵌着して薬筒を組立て、それから螺子回しを蓋の頭の切り込みに再び嵌めて薬筒全体を何回も回わして箱本体に嵌着するものであるから薬剤の補給が簡単に行えなく、手数を要するものであった。また、箱本体と薬筒とが螺子嵌めであるため嵌着部の気密性が完全でなかった。
【０００８】
前記特許文献２で提案されるものは、基体内側に横袈された一対の補助板の下部に防虫剤等の薬品を収納してなるものであるから、薬品の補給または交換を行えないものである。
【０００９】
前記特許文献３で提案されるものは、標本台３の中心部に脱酸素剤と乾燥剤を入れるホール６を設け、該ホールの上方に標本を乗せる中敷２を接着し、その外側の標本台３の環状溝４にカバーケース１の下端を嵌入密着し、カバーケース１内を密封してなるものであるから脱酸素剤と乾燥剤を補給または交換を行えないものである。
【００１０】
前記特許文献４で提案されるものは、透明なガラス板、合成樹脂板による保護板１に密閉シート２を接着し、さらに密閉シート３を、開口部を残して接着して袋体状の密閉構造Ａを形成して、この密閉構造Ａに昆虫標本、植物標本等を入れ、脱酸素剤７を入れ、開口部を接着して密閉構造Ａを構成するものであるから、脱酸素剤７の補給または交換には前記密閉シート２または密閉シート３を切断して開口し、その後、開口を閉じなければならいものである。そこで、開口用具と密閉用具を必要とし、脱酸素剤７の補給または交換を容易に行えないものである。
【００１１】
主として昆虫等を収納展示する標本箱には、昆虫等を保存するために殺虫剤の収納が不可欠である。そして殺虫剤等が揮発性のため定期的な補給が不可欠である。本考案は、かかる昆虫等を収納展示する標本箱に配備された薬筒の蓋部を１／４回転という僅かに回転するだけで取外しと再装着をすることができ、薬筒の開口より筒内へ殺虫剤等の薬剤を容易に補給が行え、また、薬筒から殺虫剤等の漏洩の少ない標本箱用薬剤収納薬筒装置の提供を目的になされたものである。
【課題を解決するための手段】
【００１２】
薬筒は基体部と筒体部と蓋体部から設けられると共に、前記基体部が、標本箱に設けられる配備孔に装着され、その基体部の前方に突出接続して薬剤の収納部であると共に薬剤の放散孔を備える筒体部が標本箱内に配備されてなる標本箱用薬剤収納薬筒装置において、前記基体部は、後端面を開口する収容孔が形成されて前記蓋体部が前後に摺動自在にかつ出入自在に収容されると共に前記収容孔内に突出するピンが配備され、該ピンが前記蓋体部の周面に形成される螺旋溝に係合され、蓋体部の回転方向により軸方向の前後移動が自在に構成され、前記螺旋溝は蓋体部の前端面に形成されるピン出入口に連通されて蓋体部の螺旋溝が基体部のピンから係脱自在に設けられ、蓋体部は環状溝が後部周面に形成され、該環状溝にＯリングが装嵌され、基体部の収容孔が気密に封止され、蓋体部が基体部から取り外された時に基体部の前端に接続連通する筒体部の内部に薬剤が補給可能に構成されてなる標本箱用薬剤収納薬筒装置にある。
【００１３】
前記基体部は円筒形に形成され、その前端外周は面取りされて円錐形に形成されてなるものとしてもよいものである。
【００１４】
前記基体部は前端部の内径に螺子孔が形成され、該螺子孔に前記筒体部の後端部の外周に形成される螺子部が螺合して基体部の前方に突出接続して筒体部が一体に結合されてなるものとしてもよいものである。
【００１５】
前記基体部は、その外周の前半側に孔芯と平行のローレット溝が形成されてなるものとしてもよいものである。
【００１６】
前記基体部は、その前半寄りに収容孔の内面に突設するピンが軸回りに１８０度齟齬して対称位置に配置されてなるものとしてもよいものである。
【００１７】
前記筒体部は、円筒部と底部に放散孔がそれぞれ貫通して開設されてなるものとしてもよいものである。
【００１８】
前記蓋体部は、円柱形に形成され、その前半部は、周面に開口すると共に前端面に開口する螺旋溝が軸芯を中心としてそれぞれ対象位置に対応して形成され、その螺旋溝が前記基体部の収容孔内に突設するピンに係合され、蓋体部の回転でピンに対して軸方向に移動可能に設けられると共に螺旋溝のそれぞれが前端面のピン出入口からピンがそれぞれ外れて蓋体部を基体部の後端面開口より出入自在に設けられてなるものとしてもよいものである。
【００１９】
前記螺旋溝のガイド面は、蓋体部の回転角が９０度で、最初の４５度が軸方向傾斜面に形成され、次の４５度が軸方向水平面に形成されてなるものとしてもよいものである。
【００２０】
前記螺旋溝のガイド面は、その軸方向傾斜面の一方が始端ピン衝突壁を介してピン出入口と連通し、他方が直接にピン出入口に連通してそれぞれ形成され、その軸方向水平面は終端ピン衝突壁により閉溝形成されてなるものとしてもよいものである。
【００２１】
前記蓋体部は、後端面にねじ回し具を嵌入する凹陥部が形成されてなるものとしてもよいものである。
【考案の効果】
【００２２】
本考案の標本箱用薬剤収納薬筒装置は、前述のように、構成されるものであるから薬筒の蓋体部を１／４回転程度の僅かな回転で薬筒の基体部から取外しと取付けを行うことができ、容易に薬剤の補給を行えるものである。
【００２３】
また、基体部は円筒形であり、その先端外周が円錐形に面取りされているので、標本箱に設けられる配備孔に容易に圧入して固着することができ、また、基体部の前半外周に孔芯と平行なローレット溝が形成されているので配備孔に圧入時に配備孔の内径面にローレット溝を喰い込ませ基体部に回転抵抗を与えて強固に固着し、蓋体部を回転させてピンと衝突するときに発生する衝撃に耐えることができる。
【００２４】
また、基体部の収容孔と蓋体部の後端外周は、蓋体部の環状溝に装嵌されＯリングにより気密に構成されるから蓋体部を通じて標本箱内の殺虫剤の漏洩を防止することができると共に蓋体部に回転抵抗を付与し、基体部に定置させることができる。
【００２５】
蓋体部の前半外周に開口し、前端面の開口に連通して設けられる螺旋溝は、それぞれのガイド面が軸方向に対向する軸方向傾斜面と軸方向に対向する軸方向水平面から形成されると共にその軸方向に対向する軸方向傾斜面は一方が始端ピン衝突壁を介してピン出入口と連通し、他方が直接にピン出入口に連通して形成され、その軸方向に対向する軸方向水平面は終端ピン衝突壁により閉溝されてなるものであるから蓋体部が回転したとき、螺旋溝は基体部のピンに対して回転方向により始端ピン衝突壁または終端ピン衝突壁を必ず衝突して蓋体部の回転を停止する。そして、蓋体部の螺旋溝の終端ピン衝突壁とピンが衝突する時には軸方行に前進して軸方向に対向する軸方向水平面の終端に位置し、蓋体部を基体部の収容孔に収容し、前記Ｏリングを圧縮しているのでその反発作用も追加されて蓋体部はその停止状態を維持して薬筒を気密に封止するものである。次に、蓋体部の螺旋溝の始端ピン衝突壁とピンが衝突する時には軸方向に後進し、蓋体部の後端を基体部の収容孔より後方へ突出させ、蓋体部の前端の螺旋溝のピン出入口にピンは位置するので蓋体部を軸方向の後方に引き出すことにより螺旋溝とピンの係合を外して蓋体部を基体部から取り出すことができる。
よって、蓋体部を薬筒の基体部の定位置に確実、容易に嵌着することと取り外すことが行えるものである。
【図面の簡単な説明】
【００２６】
【図１】本考案の標本箱用薬剤収納薬筒装置を配備した標本箱の実施例を示す一部切り欠き断面で示す平面図である。
【図２】同じく標本箱における標本箱用薬剤収納薬筒装置の配置部分の拡大外面図である。
【図３】図１のＡ−Ａ線に沿う標本箱用薬剤収納薬筒装置の拡大端面図である。
【図４】同じく標本箱用薬剤収納薬筒装置を構成する基体部単体の一部切り欠き断面で示す拡大側面図である。
【図５】同じく標本箱用薬剤収納薬筒装置を構成する筒体部単体の一部切り欠き断面で示す拡大側面図である。
【図６】同じく標本箱用薬剤収納薬筒装置を構成する蓋体部単体の拡大側面図である。
【図７】同じく蓋体部単体の拡大平面図である。
【図８】同じく蓋体部における螺旋溝の配置状態を示す拡大前端面図である。
【図９】同じく蓋体部における螺旋溝の実施例を示す周面展開図である。
【考案を実施するための最良の形態】
【００２７】
上端が開口する四辺周側板部とその四辺周側板部の下端に接続して開口を閉鎖する底板部から設けられる箱本体と、前記箱本体の四辺周側板部の上端開口に接続する縁枠にガラス板が配備されてなる蓋部とからなる標本箱であって、薬筒は基体部と筒体部と蓋体部から設けられると共に、前記基体部が、前記箱本体の四辺形側板部に、その基体部の外周径より僅かに小径に設けられる配備孔に圧入固着され、その基体部の前方に突出接続して薬剤の収納部であると共に薬剤の放散孔備える筒体部が箱本体内に配備されてなる標本箱用薬剤収納薬筒装置において、前記基体部は、後端面を開口する収容孔が形成されて前記蓋体部が前後に摺動自在に、かつ出入自在に収容されると共に収容孔内に突設するピンが配備され、該ピンが前記蓋体部の周面に形成される螺旋溝に係合され、蓋体部の回転方向により軸方向の前後に移動が自在に構成され、前記螺旋溝は蓋体部の前端面に形成されるピン出入口に連通されて基体部の螺旋溝が基体部のピンと係脱自在に設けられ、蓋体部は環状溝が後部周面に形成され、該環状溝にＯリングが装嵌され、基体部の収容孔が気密に封止され、蓋体部が基体部から取り外された時に基体部の前端に接続連通する筒体部の内部に薬剤が補給可能に構成されてなる標本箱用薬剤収納薬筒装置。
【実施例】
【００２８】
本考案の標本箱用薬剤収納薬筒装置を図面に示す実施例により説明すると、図１は本考案の標本箱用薬剤収納薬筒装置３を配備した標本箱１の全体の外観図であって、その標本箱１は、上端が開口する四辺周側板部１ａ１とその四辺周側板部１ａ１の下端に接続して開口を閉鎖する底板部１ａ２から設けられる箱本体１ａと、前記箱本体１ａの四辺周側板部１ａ１の上端開口に接続する縁枠１ｂ１にガラス板１ｂ２が配備されてなる蓋部１ｂから設けられる。
【００２９】
本考案の標本箱用薬剤収納薬筒装置３は、前記標本箱１と、該標本箱１に配備される薬筒２から構成される。
【００３０】
薬筒２は、図面に示すように、基体部２ａと筒体部２ｂと蓋体部２ｃから設けられる。
【００３１】
前記基体部２ａは、円筒形に形成され、その前端外周は面取りされて円錐形４に形成される。前記箱本体１ａの四辺形周側板部１ａ１に配備孔５が前記薬筒２基体部２ａの外周径より僅かに小径に設けられる。基体部２ａの箱本体１ａに対する固着構造または取付け構造は前記実施例に限定されるものではない。
【００３２】
前記基体部２ａは、前端部の内径に螺子孔６が形成され、該螺子孔６に前記筒体部２ｂの後端部の外周に形成される螺子部７が螺合して筒体部２ｂが一体に結合される。
【００３３】
前記基体部２ａの後半部は、螺子孔６より大径で、かつ前記基体部２ａの後端面に開口する収容孔８に形成され、該収容孔８に前記蓋体部２ｃが出入自在に、前後に摺動自在に挿嵌される。
【００３４】
前記基体部２ａは、その外周の前半側に孔芯と平行のローレット溝９が形成される。
【００３５】
前記基体部２ａは、収容孔８の前半よりに対応するピン打込孔１０、１１が１８０度齟齬して外周の対称に形成される。
【００３６】
前記筒体部２ｂは、円筒部２ｂ１に放散孔１２が、底部２ｂ２に放散孔１３がそれぞれ内外に貫通して開設される。
【００３７】
前記蓋体部２ｃは、円柱形に形成され、その前半部は、周面に開口すると共に前端面に開口する螺旋溝１４、１５が軸芯を中心としてそれぞれ対象位置に対応して形成され、その螺旋溝１４、１５が前記基体部２ａのピン打込孔１０、１１に固着されて収容孔８内に突設するピン１６、１７に嵌合され、蓋体部２ｃの回転で停止するピン１６、１７に対して軸方向に移動可能に設けられると共に螺旋溝１４、１５のそれぞれが前端面のピン出入口からピン１６、１７がそれぞれ外れて蓋体部２ｃを基体部２ａの後端面開口より取り出し自在に設けられる。図示しないが、ピン１６、１７は、基体部２ａと同一部材で一体に成形されるものでもよいものである。
【００３８】
前記螺旋溝１４、１５のガイド面の実施例について詳しく説明すると、図示するように、蓋体部２ｃの回転角が９０度で、最初の４５度が軸方向傾斜面１４a、１５aに形成され、次の４５度が軸方向水平面１４ｂ、１５ｂに形成される。
【００３９】
前記螺旋溝１４、１５のガイド面は、その軸方向傾斜面１４a、１５aの一方が始端ピン衝突壁１４a２、１５a２を介してピン出入口１４a１、１５a１と連通し、他方が直接にピン出入口１４a１、１５a１に連通してそれぞれ形成され、その軸方向水平面１４ｂ、１５ｂは終端ピン衝突壁１４ｂ１、１５ｂ１により閉溝形成されてなるものである。
【００４０】
前記蓋体部２ｃは、後半部に環状溝１８が設けられ、該環状溝１８にＯリング１９が装嵌される。該Ｏリング１９は、基体部２ａの収容孔８の内面に接し、基体部２ａに対する蓋体部２ｃの気密を維持する。
【００４１】
前記蓋体部２ｃは、後端面にねじ回し具２２を嵌入する凹陥部２０が形成される。ねじ回し具２２は、身近な扁平金属体を使用できる。
【００４２】
前記筒体部２ｂに標本の腐敗と虫害を予防するために薬剤２１、例えば、ナフタリン、ジクロロベンゼン等の殺菌剤、殺虫剤が収納される。
【００４３】
本考案の実施例の標本箱用殺虫剤補給装置３は前述のように構成されるから、筒体部２ｂに収納される薬剤２１は放散孔１２および放散孔１３より標本箱１内に放散し、収納物の腐敗と虫害を防止する。
【００４４】
時間の経過により筒体部２ｂに収納される薬剤２１の効果が消滅したときには、薬筒２の筒体部２ｂにおける薬剤２１の補給は、蓋体部２ｃが基体部２ａに対して図３に示す状態にあるので、蓋体部２ｃの後端面の凹陥部２０にねじ回し具２２の先端を嵌入し、蓋体部２ｃを左に９０度回転させると、蓋体部２ｃは最初の４５度の回転で螺旋溝１４、１５のガイド面の互いに対向する軸方向水平面１４ｂ、１５ｂがピン１６、１７に対して軸回り滑り回転しロック状態を脱出する。そして更に同方向へ蓋体部２ｃを４５度回転させると互いに対向する軸方向傾斜面１４a、１５aがピン１６、１７に接するので軸方向傾斜面１４a、１５aが後方へ滑り移動されるので、蓋体部２ｃの全体が後方へ移動する。その移動巾は軸方向傾斜面１４a、１５ａの軸方向のピッチ巾Ｌとなる。この蓋体部２ｃの４５度の回転で螺旋溝１４、１５のガイド面の互いに対向する一方の軸方向傾斜面１４a、１５ａはピン１６、１７が衝突する始端ピン衝突壁１４a２、１５a２を介して蓋体部２ｃのピン出入口１４a１、１５a１に連通され、他方の軸方向傾斜面１４a、１５ａは直接にピン出入口１４a１、１５a１に連通され、蓋体部２ｃは前端面の螺旋溝１４、１５のピン出入口１４a１、１５a１にピン１６、１７を位置させた状態で後進移動を停止する。
【００４５】
蓋体部２ｃの後端が基体部２ａの収容孔８より後方へ突出して環状溝１８が現れるからこれに爪あるいはねじ回し用具２２の先端を掛けて外方へ引き出すことによって蓋体部２ｃの螺旋溝１４、１５のピン出入口１４a１、１５a１からピン１６、１７が外れ、基体部２ａの収容孔８より後方へ引き出すことができる。そこで、開放された基体部２ａに接続する筒体部２ｂ内に新しい薬剤２１を、収容孔８を通して補給することができる。
【００４６】
新しい薬剤２１を筒体部２ｂ内に補給した後は、再び蓋体部２ｃの前端面から基体部２ａの収容孔８に嵌入する。このとき、蓋体部２ｃの前端面の螺旋溝１４、１５のピン出入口１４a１、１５a１にピン１６、１７を合わせて嵌入する。Ｏリング１９、１９は圧縮されて収容孔８に嵌入し、蓋体部２ｃの後端面の凹陥部２０に再びねじ回し具２２の先端を嵌入し、前端面の螺旋溝１４、１５のピン出入口１４a１、１５a１がピン１６、１７に一致しないときは、蓋体部２ｃを前方へ押し出すと共に左右にわずかに回転させるとピン１６、１７に容易に一致させることができ、ピン１６、１７を螺旋溝１４、１５のピン出入口１４a１、１５a１に嵌入させて前進させ、螺旋溝１４、１５内に嵌入させることができ、そして、右回りに９０度回転させるとピン１６、１７に対して前記のように、螺旋溝１４、１５の軸方向傾斜面１４a、１５ａの４５度回転で蓋体部２ｃの全体を強制的に前進させ、次に軸方向水平面１４ｂ、１５ｂをピン１６、１７に対して軸方向に移動させることなく４５度回転し、ピン１６、１７と軸方向水平面１４ｂ、１５ｂでロック状態に対応させ、ピン１６、１７が螺旋溝１４、１５の終端ピン衝突壁１４ｂ１、１５ｂ１に衝突して蓋体部２ｃの回転を停止し、蓋体部２ｃは、薬筒２内を封止する。
【００４７】
基体部２ａは、前記のように、円筒形であり、その前端は面取りされて円錐形４に形成されて箱本体１ａの四辺形側板部１ａ１の配備孔５に圧入されて一体に嵌合固着され、また、基体部２ａは、前半部の外周のローレット溝９が配備孔５に軸方向と圧入されるので、ローレット溝９が配備孔５の内径面に喰いこんで堅固に固着され、蓋体部２ｃから基体部２ａに与えられる回転力に耐えることができる。
【００４８】
前記のように、実施例として示すものでは、螺旋溝１４、１５のガイド面の最初の立上り４５度が軸方向傾斜面１４a、１５aに形成され、次の頂上への４５度が軸方向水平面１４ｂ、１５ｂに形成されるから、最初の立上り４５度の回転で軸方向に前進し、次の４５度の回転で同じ位置の軸方向水平面１４ｂ、１５ｂをピン１６、１７に対してスライドして回転を停止する。基体部２ａ内に蓋体部２ｃを嵌入し、Ｏリング１９によって基体部２ａに対して蓋体部２ｃに回転抵抗を与え、且つ両者の気密を維持し、簡単な構成と簡易な操作で、薬筒２から薬剤２１が外部へ漏洩しにくいものとしている。
【産業上の利用可能性】
【００４９】
本考案の標本箱用殺虫剤補給装置は、構造が簡単、堅牢であって破損等のおそれがなく、また、標本箱に配備された薬筒の蓋部を１／４回転という僅かに回転するだけで取外しと再装着を簡単確実に行うことができ、また、薬筒から殺虫剤等の漏洩が少なく、また、薬筒の開口より筒内へ殺虫剤等の薬剤を容易に補給が行えて長期に殺虫効果を維持でき、収集標本の展示・保存に優れるものである。
【符号の説明】
【００５０】
１  標本箱
１ａ  箱本体
１ａ１  四辺形周側板部
１ａ２  底板部
１ｂ  蓋部
１ｂ１  縁枠
１ｂ２  ガラス板
２  薬筒
２ａ  基体部
２ｂ  筒体部
２ｂ１  円筒部
２ｂ２  底部
２ｃ  蓋体部
３  標本箱用薬剤収納薬筒装置
４  円錐形
５  配備孔
６  螺子孔
７  螺子部
８  収容孔
９  ローレット溝
１０  ピン打込孔
１１  ピン打込孔
１２  放散孔
１３  放散孔
１４  螺旋溝
１４a  軸方向傾斜面
１４a１  ピン出入口
１４a２  始端ピン衝突壁
１４ｂ  軸方向水平面
１４ｂ１  終端ピン衝突壁
１５  螺旋溝
１５a  軸方向傾斜面
１５a１  ピン出入口
１５a２  始端ピン衝突壁
１５ｂ  軸方向水平面
１５ｂ１  終端ピン衝突壁
１６  ピン
１７  ピン
１８  環状溝
１９  Ｏリング
２０  凹陥部
２１  薬剤
２２  ねじ回し具
【図１】
0003178586.tif 000003
【図２】
0003178586.tif 000004
【図３】
0003178586.tif 000005
【図４】
0003178586.tif 000006
【図５】
0003178586.tif 000007
【図６】
0003178586.tif 000008
【図７】
0003178586.tif 000009
【図８】
0003178586.tif 000010
【図９】
0003178586.tif 000011